【事件の表示】
　平成　７年特許願第３１１１８７号「電子撮像装置」拒絶査定不服審判事件〔平成　９年　４月　８日出願公開、特開平　９−　９８３７６〕について、次のとおり審決する。
【結　論】
　本件審判の請求は、成り立たない。
【理　由】
（１）手続の経緯 ・本願発明 
　本願は、平成７年１１月２９日（優先権主張平成７年７月２７日）の出願であって、その特許請求の範囲の請求項１および２に係る発明は、平成１３年８月１３日付の手続補正書によって補正された明細書及び図面の記載からみて、本願の特許請求の範囲の請求項１および２に記載されたとおりのものと認められるところ、その請求項１に記載された発明（以下、「本願発明」という。）は次のとおりである。  
　
「【請求項１】撮像手段と、この撮像手段により撮像した画像を表示する画像表示手段を一体的に備えた電子撮像装置において、上記撮像手段で撮像した画像データを圧縮伸長する圧縮伸長手段と、画像データを受信する転送手段と、この転送手段により受信した画像データが圧縮されているか否かを判断する判断手段と、この判断手段により画像データが圧縮されていると判断された場合、該画像データを上記圧縮伸長手段で伸長して上記画像表示手段に表示する第１の表示制御手段と、上記判断手段により画像データが圧縮されていないと判断された場合、該画像データをそのまま上記画像表示手段に表示する第２の表示制御手段と、を具備したことを特徴とする電子撮像装置。」 
　 
（２）引用例 
　これに対して、原査定の拒絶の理由に引用された特開平５−１６７９７９号公報（以下「引用例」という。）には、図面とともに以下の各記載がある。 
　 
（ア）「【産業上の利用分野】この発明はディジタル電子スチル・カメラおよびその動作方法に関する。」(段落０００１) 
（イ）「ディジタル電子スチル・カメラ20の全体の動作は全体制御部10によって統括される。全体制御部10は図示しない制御スイッチの押下げにより生じる制御信号が入力することにより，または外部装置31から送信されてくる制御信号が入力することにより，それぞれの制御信号に応じた処理を行なうものである。ディジタル電子スチル・カメラ20は撮像した被写体像を表わすデータをデータ圧縮してメモリ・カードに記録する撮影処理，メモリ・カード30に記録された圧縮データを伸張してビューファインダ25またはモニタ表示装置32に表示する再生処理のほかに圧縮データもしくは圧縮されていない画像データを外部装置31に送信するまたは外部装置31から送信されてくる圧縮データ，圧縮されていない画像データもしくは制御データを受信する通信処理の機能を有している。このためディジタル電子スチル・カメラ20にはメモリ・カードおよび通信インターフェイス40および送受信回路60が含まれている。」（段落００１７ないし００１８） 
（ウ）「メモリ・カード30に記録されたディジタル画像データを再生するときには，ディジタル画像データがメモリ・カード30から読出され，メモリ・カードおよび通信インターフェイス40を経て圧縮伸張回路17に与えられる。圧縮伸張回路17によってデータ伸張が行なわれるとメモリ・コントローラ15の制御の下にフレーム・メモリ16に一旦記憶される。フレーム・メモリ16に一旦記憶されたディジタル画像データはフレーム・メモリ16から読出されＹ／Ｃ処理回路21を経てＤ／Ａ変換回路22に与えられる。Ｄ／Ａ変換回路22によってアナログ変換処理が行なわれアナログ映像信号が得られる 。アナログ映像信号は後処理回路23に与えられる。後処理回路23によってアナログ映像信号が増幅されて出力される。ディジタル電子スチル・カメラ20はモニタ表示装置32を接続することができ，ビューファインダ25のほかにモニタ表示装置32によっても画像を表示することができる。再生のときは制御スイッチ24はｂ端子側が導通状態とされる。これにより再生画像がビューファインダ25およびモニタ表示装置32に表示される。」（段落００２４ないし００２６） 
（エ）「ディジタル電子スチル・カメラ20は外部装置31と画像データの通信を行なう機能も備えている。（中略）外部装置31から送信される圧縮画像データをメモリ・カード30に記録するときにはディジタル画像データが送受信回路60を経てディジタル電子スチル・カメラ20に取込まれ，メモリ・カードおよび通信インターフェイス40を介してメモリ・カード30に与えられて記録される。」（段落００２７ないし００２８） 
（オ）「ディジタル電子スチル・カメラ20は外部装置31との間において圧縮されていない画像データの送受信を行なうこともできる。（中略）外部装置31から送信される画像データをフレーム・メモリ16に記憶するときは，画像データが送受信回路60において受信されメモリ・カードおよび通信インターフェイス40およびＹ／Ｃ処理回路21を経てメモリ・コントローラ15の制御の下にフレーム・メモリ16に与えられる。」（段落００２９ないし００３０）
（カ）「またメモリ・カード30に記録された画像データを再生してモニタ表示装置32に表示するときには，メモリ・カード30に記録された圧縮データが読取られ双方向バッファ42に与えられる。この圧縮データは双方向データのセレクタ44および45を介して双方向バッファ43に与えられ，圧縮伸張回路17に与えられてデータ伸張される。その後は上述のように再生処理されモニタ表示装置32に可視表示される。」（段落００３６） 
（キ）「また外部装置31から圧縮データが与えられるときには送受信回路60を経てＳ／Ｐ変換回路56に入力する。Ｓ／Ｐ変換回路56においてパラレル・データに変換されて，受信データ・バッファ54を経てパケット・バッファ・メモリ51に一旦蓄積される。圧縮データはパケット・バッファ・メモリ51から読出されバッファ・メモリ50に与えられ双方向データ・セレクタ44および双方向バッファ42を経てメモリ・カード30に与えられて記録される。」（段落００３８） 
（ク）「ディジタル電子スチル・カメラ20は圧縮されていない画像データを外部装置31との間で送受信することもできる。（中略）外部装置31から送信される画像データを受信し，フレーム・メモリ16に記憶するときには，画像データは送受信回路60において受信されメモリ・カードおよび通信インターフェイス40のＳ／Ｐ変換回路56に与えられる。Ｓ／Ｐ変換回路56においてパラレル・データに変換された画像データは受信データ・バッファ54，パケット・バッファ・メモリ51，バッファ・メモリ50および双方向バッファ41を経て出力されＹ／Ｃ処理回路21に与えられる。そしてＹ／Ｃ処理回路21からフレーム・メモリ16に与えられ記憶される。」（段落００３９ないし００４１） 
（ケ）「さらにディジタル電子スチル・カメラ20は外部装置31から出力される制御データを受信し，カメラ20の全体制御部10に与えることもできる。制御データが全体制御部10に入力すると入力した制御データに応じた処理がカメラ20において行なわれる。外部装置31から出力される制御データは送受信回路60において受信されメモリ・カードおよび通信インターフェイス40のＳ／Ｐ変換回路56に与えられる。制御データはＳ／Ｐ変換回路56から受信データ・バッファ54，パケット・バッファ・メモリ51，バッファ・メモリ50を経てパラメータ・レジスタ47に与えられる。パラメータ・レジスタ47によって制御データが解析され，解析された内容が全体制御部10に与えられる。全体制御部10によって解析された内容に応じてデータの転送処理などの処理が遂行される。」（段落００４２ないし００４３）
（コ）「次に外部装置31から送信される圧縮データをメモリ・カード30に書込むよう命ずる制御データが，ディジタル電子スチル・カメラ20の全体制御部10に与えられる。この制御データに対する応答メッセージが全体制御部10から外部装置31に与えられると，外部装置31からメモリ・カード30に圧縮データが与えられ記録される。（中略）外部装置31に伸張された画像データが与えられることにより，外部装置31において画像データの加工処理が行なわれる。画像データの加工処理が終了すると，外部装置31から送信される画像データを受信するよう命ずる制御データが外部装置31からディジタル電子スチル・カメラの全体制御部10に与えられる。この制御データに対する応答メッセージが全体制御部10から外部装置31に与えられると，外部装置31から加工済の画像データが出力され送受信回路60，メモリ・カードおよび通信インターフェイス40，Ｙ／Ｃ処理回路21を経てフレーム・メモリ16に与えられ記憶される。フレーム・メモリ16に記憶された加工済の画像データは圧縮伸張回路17に与えられデータ圧縮が施されてメモリ・カード30に記録される。これによりメモリ・カード30に加工済の圧縮画像データが記録されることとなる。」（段落００４８ないし００５１）
　 
（３）対比 
　本願発明と引用例に記載された発明（以下「引用発明」という。）とを対比すると、引用発明の「ディジタル電子スチル・カメラ」、「ビューファインダ」、「圧縮伸張回路」は、本願発明の「電子撮像装置」、「画像表示手段」、「圧縮伸長手段」にそれぞれ相当する。
　また、上記（イ）からみて、引用発明の「メモリ・カードおよび通信インターフェイス」および「送受信回路」は、本願発明の「転送手段」に相当すると認められる。
　さらに、上記(イ)(ケ)(コ)から、引用発明において、「外部装置から送信される圧縮データをメモリ・カードに書き込むよう命ずる制御データ」が外部装置から全体制御部に与えられ、全体制御部で解析された後、外部装置からメモリ・カードに圧縮データが与えられて記憶されること、および、「外部装置から送信される(圧縮されていない)画像データを受信するように命ずる制御データ」が外部装置から全体制御部に与えられ、全体制御部で解析された後、外部装置から(圧縮されていない)画像データが出力されること、が認められるとともに、上記(エ)(キ)および(ウ)(カ)から、受信した圧縮画像データをメモリ・カードから再生し伸張した後に表示することが認められ、上記(オ)(ク)から、受信した圧縮されていない画像データをフレームメモリに記憶することが認められる。
　してみれば、引用発明の「全体制御部」は本願発明の「第１の表示制御部」を包含するものと認められる。
　 
　したがって、両者は、 
「撮像手段と、この撮像手段により撮像した画像を表示する画像表示手段を一体的に備えた電子撮像装置において、上記撮像手段で撮像した画像データを圧縮伸長する圧縮伸長手段と、画像データを受信する転送手段と、この転送手段により受信した画像データが圧縮されている場合、該画像データを上記圧縮伸長手段で伸長して上記画像表示手段に表示する第１の表示制御手段と、を具備した電子撮像装置。 」 
である点で一致し、以下の点で相違する。 
　 
（相違点１）本願発明では、「受信した画像データが圧縮されているか否かを判断する判断手段」を具備し、「画像データが圧縮されている場合」および「画像データが圧縮されていない場合」が、「この判断手段により判断される」のに対して、引用発明では、「画像データが圧縮されている場合」および「画像データが圧縮されていない場合」が、画像データの受信に先立ち受信した制御データの解析内容により判断される点。 
　 
（相違点２）本願発明では、「画像データが圧縮されていない場合、該画像データをそのまま画像表示手段に表示する第２の表示制御手段を具備する」のに対し、引用発明では、そのような第２の表示制御手段を有しない点。 
　　 
（４）判断 
（相違点１）について 
　上記（ア）(イ)から、引用発明において、「ディジタル電子スチル・カメラは、圧縮データを伸張してビューファインダ等に表示する再生処理のほかに、外部装置31から送信されてくる圧縮データ，圧縮されていない画像データ等を受信する通信処理の機能を有している」ことが認められるところ、画像データが圧縮されているか否かを画像データの形式で判断すること、そしてその判断結果に応じて、圧縮されている場合のみ伸長を行うことは、例えば特開平６−１３３２６４号公報（段落００１６、段落００２１および、図２、図４）、特開平４−１９６８８６号公報（第２頁左下欄第８行ないし第１８行、第３頁左上欄第１２行ないし第１６行、第１図）等の記載にも見られるように、圧縮画像データおよび圧縮されていない画像データのいずれも受信可能な装置において周知のことに過ぎない。 
　したがって、引用発明において、「画像データが圧縮されている場合」および「画像データが圧縮されていない場合」が画像データの受信に先立ち受信する制御データの解析内容により判断される構成に替えて、「受信した画像データが圧縮されているか否かを判断する判断手段」を具備し、「画像データが圧縮されている場合」および「画像データが圧縮されていない場合」が、この判断手段により判断される構成とすることは、上記周知技術から当業者が容易に想到し得たことといえる。 
　 
（相違点２）について 
　上記(ウ)(カ)の記載によれば、圧縮されていない画像データがフレームメモリから読み出されビューファインダに表示されることが認められる。また、フレームメモリに記憶した画像データを表示することを格別阻害する要因も見当たらないことからみて、引用発明において、受信した画像データが圧縮されていない場合、該画像データをそのまま画像表示手段に表示すること、および、全体制御部においてそのように制御することは、必要に応じて適宜なし得ることに過ぎない。 
　したがって、引用発明において、「画像データが圧縮されていない場合、該画像データをそのまま画像表示手段に表示する第２の表示制御手段を具備する」構成とすることは、当業者が容易に想到し得たことといえる。 
　 
　また、相違点１および２を総合しても当業者が容易に想到し得たものといえ、本願発明の効果も、格別のものとはいえず、引用例および上記周知技術から当業者が予測できる範囲のものである。 
　 
（５）むすび 
　したがって、本願発明は、引用例に記載された発明および周知技術に基づいて当業者が容易に発明をすることができたものであるので、請求項２に係る発明について検討するまでもなく、本願は、特許法第２９条第２項の規定により特許を受けることができない。 
　
　よって、結論のとおり審決する。